(57)【要約】２ブランチ偏波アンテナをセクタ別に２個ずつ使用して４個のブランチで信号を受信する基地局において、基地局の信号処理方法を簡単にするための方法を開示する。基地局は、第１偏波アンテナの第１及び第２ブランチと、第２偏波アンテナの第３及び第４ブランチを介して信号を受信する。この受信した信号のうちの第２及び第４ブランチで受信した信号を、第１及び第３ブランチで受信した信号と夫々オフセットが区別されるように時間遅延する。次に、第１ブランチで受信された信号と、第２ブランチで受信され且つ時間遅延された信号を合算すると共に、第３ブランチで受信された信号と、第４ブランチで受信され且つ時間遅延された信号を合算する。基地局のモデム処理部は、再び、合算された信号において、オフセットが区別される信号を分離して処理する。
2005526427.tif 000002
【特許請求の範囲】
【請求項１】
各々２個のブランチを有していると共に、同一セクタ内に形成されている第１及び第２偏波アンテナと、
前記第１偏波アンテナの第１及び第２ブランチで受信された信号のうちの前記第２ブランチで受信された信号を、該信号のオフセットが前記第１ブランチで受信された信号のオフセットと区別されるように時間遅延する第１遅延素子と、
前記第２偏波アンテナの第３及び第４ブランチで受信された信号のうちの前記第４ブランチで受信された信号を、該信号のオフセットが前記第３ブランチで受信された信号のオフセットと区別されるように時間遅延する第２遅延素子と、
前記第１偏波アンテナの前記第１ブランチで受信された信号と前記第１遅延素子によって時間遅延された信号を合算する第１合算部と、
前記第２偏波アンテナの前記第３ブランチで受信された信号と前記第２遅延素子によって時間遅延された信号を合算する第２合算部と、
前記第１及び第２合算部で合算された信号を夫々受信して、該信号の各々から前記オフセットが区別される信号を分離するモデム処理部とを備える移動通信網の基地局。
【請求項２】
前記第１及び第２合算部に夫々連結されていると共に、前記第１及び第２合算部からの信号をＩＦ（中間周波数帯域）信号に夫々変換する第１及び第２ＲＦ（Radio Frequency）処理部と、
前記第１及び第２ＲＦ処理部と前記モデム処理部との間に夫々連結されていると共に、前記第１及び第２ＲＦ処理部からの信号を基底帯域信号に夫々変換し、且つ該基底帯域信号を前記モデム処理部に夫々伝達する第１及び第２ＩＦ処理部を更に備える請求項１記載の移動通信網の基地局。
【請求項３】
前記第１乃至第４ブランチに夫々連結されていると共に、前記第１乃至第４ブランチからの信号を中間周波数帯域信号に夫々変換し、且つ該中間周波数帯域信号を前記第１合算部、第１遅延素子、第２合算部、及び第２遅延素子に夫々伝達する第１乃至第４ＲＦ処理部と、
前記第１及び第２合算部と前記モデム処理部の間に夫々連結されていると共に、前記第１及び第２合算部からの信号を基底帯域信号に夫々変換し、且つ該基底帯域信号を前記モデム処理部に夫々伝達する第１及び第２ＩＦ処理部を更に備える請求項１記載の移動通信網の基地局。
【請求項４】
前記第１乃至第４ブランチに夫々連結されていると共に、前記第１乃至第４ブランチからの信号を夫々中間周波数帯域信号に変換する第１乃至第４ＲＦ処理部と、
前記第１乃至第４ＲＦ処理部と前記第１合算部、前記第１遅延素子、前記第２合算部、及び前記第２遅延素子の間に夫々連結されていると共に、前記第１乃至第４ＲＦ処理部からの信号を基底帯域信号に夫々変換する第１乃至第４ＩＦ処理部を更に備える請求項１記載の移動通信網の基地局。
【請求項５】
同一セクタ内に形成されていると共に、第１ブランチと第２ブランチ、及び第３ブランチと第４ブランチとを夫々有する第１及び第２偏波アンテナを介して信号を受信する（ａ）ステップと、
前記第１偏波アンテナの第２ブランチ及び前記第２偏波アンテナの第４ブランチで受信された信号を、該信号のオフセットが前記第１及び第３ブランチで受信された信号のオフセットと区別されるように時間遅延する（ｂ）ステップと、
前記第１ブランチで受信された信号と、前記第２ブランチで受信され且つ時間遅延された信号を合算して第１合算信号とすると共に、前記第３ブランチで受信された信号と、前記第４ブランチで受信され且つ時間遅延された信号を合算して第２合算信号とする（ｃ）ステップと、
前記第１及び第２合算信号の各々から前記オフセットが区別される信号を分離する（ｄ）ステップとを備える移動通信網の基地局における信号受信処理方法。
【請求項６】
前記（ｃ）ステップは、前記第１及び第２合算信号を基底帯域信号に夫々変換することを更に含む請求項５記載の移動通信網の基地局における信号受信処理方法。
【請求項７】
前記（ａ）ステップは、前記第１乃至第４ブランチで受信された信号を中間周波数帯域信号に変換することを更に含み、
前記（ｃ）ステップは、前記第１及び第２合算信号を基底帯域信号に夫々変換することを更に含む請求項５記載の移動通信網の基地局における信号受信処理方法。
【請求項８】
前記（ａ）ステップは、前記第１乃至第４ブランチで受信された信号を基底帯域信号に変換することを更に含む請求項５記載の移動通信網の基地局における信号受信処理方法。
【請求項９】
第１及び第２ブランチを有する偏波アンテナと、
前記偏波アンテナの前記第２ブランチで受信された信号を、該信号のオフセットが前記第１ブランチで受信された信号のオフセットと区別されるように時間遅延する遅延素子と、
前記第１ブランチで受信された信号と、前記第２ブランチで受信され且つ前記遅延素子によって時間遅延された信号を合算する合算部と、
前記合算された信号において前記オフセットが区別される信号を異なる多重経路信号と見なすと共に、前記オフセットが区別される信号を分離するモデム処理部とを備える移動通信網の基地局。
【発明の詳細な説明】
【技術分野】
【０００１】
本発明は、移動通信網で信号を受信する方法及びその基地局に関し、特に、基地局で２ブランチ偏波アンテナ２個を使用して４個のブランチを介して信号を受信する場合に、基地局の複雑度を低減させるための方法に関する。
【背景技術】
【０００２】
一般に、移動局のアンテナから送信される信号は、地面、建物などの周辺環境によって反射又は屈折されて、多重経路を通じて基地局のアンテナに受信される。このように、種々の信号が多様な互いに異なる経路を通じて受信される場合、これらの信号は互いに異なる振幅減衰及び位相変化が行われる。このような信号が合算される場合、時間変化に従って信号の強さが送信信号の信号の強さと異なるように変化する。これをフェーディング（fading）と言う。このようなフェーディングの問題を解決するために、各々独立的にフェーディングの影響を受けたいくつかの信号を受信して、この受信した信号を適切に結合するダイバシティ（diversity）方式が従来から提案されている。
【０００３】
このようなダイバシティ方式としては、空間的に離れた２個以上の垂直受信アンテナを同時に利用して伝送する方法である空間ダイバシティ（space diversity）方式や、垂直偏波信号及び水平偏波信号を別々に受信する方法である偏波ダイバシティ（polarization diversity）方式などがある。偏波ダイバシティ方式は、偏波アンテナを利用して偏波信号成分を検出すると共に、偏波信号成分をダイバシティのブランチとして使用する方法である。
【０００４】
通常、ＩＳ−９５、ＣＤＭＡ２０００、ＷＣＤＭＡなどの移動通信システムを基礎とする基地局は、空間的に分離された２個の垂直アンテナを各セクタ毎に利用して信号を受信する空間ダイバシティ方式を使用している。この場合、３個以上の垂直アンテナを使用しない理由は、複雑度の増加に比べて得られる効果が少ないためである。そして、上述の移動通信システムは、３個のセクタα、β、及びγを使用する３セクタ方式を主に採用している。以下に、図５を参照して、従来の基地局の構造及びこの基地局で信号を受信する方法について説明する。
【０００５】
図５は、従来の基地局の構造を示す図面である。
【０００６】
図５に示すように、従来の基地局（例えば、３セクタ方式を使用する基地局）には、各アンテナ経路別に、ＲＦ／ＩＦ（無線周波数／中間周波数）処理部であるＲＦ／ＩＦ１、ＲＦ／ＩＦ２、…、〜ＲＦ／ＩＦ６が形成されている。６個の垂直アンテナを介して受信された信号は、ＲＦ／ＩＦ処理部を通過して基底帯域（baseband）信号に変換され、モデム処理部２０に入力される。
【０００７】
モデム処理部２０は、６個のアンテナ受信経路に対して多重経路信号を検索して有用な多重経路信号成分をフィンガー（finger）に割当て、当該多重経路信号成分の位相を検出して、フィンガーに割当てられた信号成分に対して最大比合成（maximal ratio combining，MRC）を行う。
【０００８】
より詳しく説明すれば、各セクタ内の２個のアンテナは、空間的に離れており、互いに独立したフェーディング及び位相を有する信号を受信するが、２個の受信アンテナ間の距離は、２個のアンテナを介して受信される信号の拡散符号オフセット（spreading sequence offset）を異ならせることができる程度には互いに離れていない。したがって、拡散符号オフセットは同一であるが、位相及びフェーディングは異なる信号が２個のアンテナを介して受信される。そして、モデム処理部２０は、これらの信号に対して各々位相検出及び位相補正を行った後に最大比合成を実行して、ダイバシティ効果を得る。このような空間ダイバシティ効果を得るためには、各アンテナ信号成分は、位相検出及び位相補正後に最大比合成がなされるまでは合算されずに独立した信号処理経路を維持しなければならない。
【０００９】
そこで、このような空間ダイバシティと共に偏波ダイバシティを利用することができる２ブランチＸ字型（X-pole）アンテナを２セット使用する方法が最近提案されている。つまり、セクタ別にＸ字型偏波アンテナを２セットずつ使用することによって、Ｘ字型アンテナを通じて偏波ダイバシティ効果を得ることができ、加えて、このＸ字型アンテナ２セットが空間的に分離されているので、空間ダイバシティ効果を得ることができる。
【発明の開示】
【発明が解決しようとする課題】
【００１０】
図６に示すように、上述の２セットの２ブランチＸ字型アンテナ４１及び４２、４３及び４４、並びに４５及び４６によれば、セクタは、夫々、４個のブランチ４１ａ、４１ｂ、４２ａ、及び４２ｂ、４３ａ、４３ｂ、４４ａ、及び４４ｂ、並びに４５ａ、４５ｂ、４６ａ、及び４６ｂを有している。したがって、基地局（例えば、３セクタ方式基地局）には、各ブランチに連結される１２個のＲＦ／ＩＦ処理部、ＲＦ／ＩＦ１、ＲＦ／ＩＦ２、…、ＲＦ／ＩＦ１２が形成されなければならず、これらの１２個のＲＦ／ＩＦ処理部からの信号を受信することができる１２個の受信端子を有するモデム処理部５０が使用されなければならない。
【００１１】
その結果、ＲＦ／ＩＦ処理部の個数及び信号経路が増加して、ハードウェアが複雑になり、従来使用されていたモデム処理部を変更して使用しなければならないという問題点があった。
【００１２】
このような問題点を解決するために、本発明は、モデム処理部を変更せずにＸ字型偏波アンテナ２セットを使用することができる基地局を提供することをその技術的課題とする。
【課題を解決するための手段】
【００１３】
本発明の第１の態様によれば、移動通信網の基地局は、第１及び第２偏波アンテナ、第１及び第２遅延素子、第１及び第２合算部、そしてモデム処理部を備える。第１及び第２偏波アンテナは、各々２個のブランチを有していると共に、同一セクタ内に形成されている。第１遅延素子は、第１偏波アンテナの第１及び第２ブランチで受信された信号のうちの第２ブランチで受信された信号を、該信号のオフセットが第１ブランチで受信された信号のオフセットと区別されるように時間遅延し、第２遅延素子は、第２偏波アンテナの第３及び第４ブランチで受信された信号のうちの第４ブランチで受信された信号を、該信号のオフセットが第３ブランチで受信された信号のオフセットと区別されるように時間遅延する。第１合算部は、第１偏波アンテナの第１ブランチで受信された信号と第１遅延素子によって時間遅延された信号を合算し、第２合算部は、第２偏波アンテナの第３ブランチで受信された信号と第２遅延素子によって時間遅延された信号を合算する。モデム処理部は、第１及び第２合算部で合算された信号を夫々受信して、該信号の各々からオフセットが区別される信号を分離する。
【００１４】
この場合、受信された信号を基底帯域信号に変換するＲＦ処理部及びＩＦ処理部は、前記第１及び第２合算部とモデム処理部の間に夫々位置するのが好ましい。または、ＲＦ処理部及びＩＦ処理部は、第１及び第２アンテナと第１及び第２合算部との間に夫々位置することもできる。または、ＲＦ処理部は、第１及び第２アンテナと第１及び第２合算部との間に位置し、ＩＦ処理部は、第１及び第２合算部とモデム処理部との間に位置することもできる。
【００１５】
本発明の第２の態様によれば、移動通信網の基地局における信号受信処理方法が提供される。この方法によれば、まず、同一セクタ内に形成されていると共に、第１ブランチと第２ブランチ、及び第３ブランチと第４ブランチとを夫々有する第１及び第２偏波アンテナを介して信号を受信する。そして、第１偏波アンテナの第２ブランチ及び第２偏波アンテナの第４ブランチで受信された信号を、該信号のオフセットが第１及び第３ブランチで受信された信号のオフセットと区別されるように時間遅延する。次に、第１ブランチで受信された信号と、第２ブランチで受信され且つ時間遅延された信号を合算して第１合算信号とし、第３ブランチで受信された信号と、第４ブランチで受信され且つ遅延された信号を合算して第２合算信号とする。そして、合算された第１及び第２合算信号の各々からオフセットが区別される信号を分離する。
【００１６】
本発明の第３の態様によれば、偏波アンテナ、遅延素子、合算部、及びモデム処理部を備える移動通信網の基地局が提供される。偏波アンテナは、第１及び第２ブランチを有し、遅延素子は、偏波アンテナの第２ブランチで受信された信号を、該信号のオフセットが第１ブランチで受信された信号のオフセットと区別されるように時間遅延する。合算部は、第１ブランチで受信された信号と、第２ブランチで受信され且つ遅延素子によって時間遅延された信号を合算し、モデム処理部は、合算された信号においてオフセットが区別される信号を異なる多重経路信号と見なすと共に、前記オフセットが区別される信号を分離する。
【発明の効果】
【００１７】
本発明によれば、オフセットが区別されるように時間遅延させた信号と、時間遅延されなかった信号を合算し、この合算された信号をモデム処理部で分離するので、基地局のモデム処理部を変更せずに、セクタ別に４個のブランチ処理を必要とするＸ字型偏波アンテナ２セットを利用したダイバシティ基地局を実現させることができる。つまり、基地局のハードウェア構造の変更が最小限にされるので、ハードウェアが簡単になる。
【発明を実施するための最良の形態】
【００１８】
以下の詳細な説明においては、本発明の発明者が示す本発明の最良の形態の例示として、本発明の好ましい実施の形態についてのみを示し説明する。本発明は、種々の点において、本発明から逸脱しない限り変形することが可能であることは言うまでもない。したがって、以下の図面及び記載は、本発明を単に例示するものであり、本発明を限定するものではない。
【００１９】
まず、図１を参照して、本発明の第１の実施の形態に係る基地局の構造について説明する。
【００２０】
図１は、本発明の第１の実施の形態に係る基地局の構造を示す図面であり、図２は、本発明の第１の実施の形態における時間遅延による拡散符号オフセットの差を示す図面である。
【００２１】
以下に、３セクタ方式を採択している移動通信システムにおける基地局について説明する。
【００２２】
図１に示すように、本発明の第１の実施の形態に係る基地局は、３個のセクタα、β、及びγを有する。３個のセクタは、各々、Ｘ字型偏波アンテナ１１０、１２０、１３０、１４０、１５０、及び１６０の２個を有しており、これらＸ字型偏波アンテナは、各々、２個のブランチを有する（２個のブランチを夫々ａ及びｂで表現し、以下では図において参照番号にａ及びｂを付して各アンテナのブランチを表現する）。このようなアンテナ１１０、１２０、１３０、１４０、１５０、及び１６０には、ＲＦ処理部３１０、３２０、３３０、３４０、３５０、及び３６０と、ＩＦ処理部４１０、４２０、４３０、４４０、４５０、及び４６０とが夫々連結されており、ＩＦ処理部４１０〜４６０は、モデム処理部５００に連結されている。この場合、各セクタにおいて１個のＲＦ処理部３１０、３３０、及び３５０、並びにＩＦ処理部４１０、４３０、及び４５０は、夫々送信機能としても機能する。
【００２３】
Ｘ字型偏波アンテナは、２ブランチ偏波ダイバシティを実現するためのアンテナであって、本発明の第１の実施の形態においては、このようなＸ字型アンテナがセクタ別に２セットずつ設けられている。そして、各セットの２個のＸ字型アンテナは、空間的に分離されているので、空間ダイバシティ効果を得ることができ、このように空間的に分離された２ブランチ偏波ダイバシティの２セットにより４ブランチを実現することができる。
【００２４】
４個のブランチで受信される信号は、互いに独立した位相を有しており、独立してフェーディングが行われるが、各ブランチで同時に受信される信号の拡散符号オフセットは同一である。このように各ブランチで受信された拡散符号オフセットが同一な信号が、位相補正が行なわれる前に合算されると、信号の歪曲が発生して、モデム処理部において信号を復調することが難しくなる。
【００２５】
したがって、本発明の第１の実施の形態においては、偏波アンテナの２個のブランチのうちの１個のブランチ１１０ｂ、１２０ｂ、１３０ｂ、１４０ｂ、１５０ｂ、及び１６０ｂで受信される信号を時間遅延するための遅延素子２１０、２２０、２３０、２４０、２５０、及び２６０が、そのブランチ１１０ｂ、１２０ｂ、１３０ｂ、１４０ｂ、１５０ｂ、及び１６０ｂとＲＦ処理部３１０、３２０、３３０、３４０、３５０、及び３６０との間に夫々追加的に形成されている。図２に示すように、例えば、アンテナ１１０の２個のブランチ１１０ａ、１１０ｂで受信される信号のうちで遅延素子２１０によって時間遅延される信号には追加的な拡散符号オフセットが付与され、これによって１個の偏波アンテナにおいて互いに異なるブランチで受信された信号が互いに異なる拡散符号オフセットを有する。
【００２６】
この場合、基地局において割り当てられる時間遅延Ｄは、時間遅延がなされないブランチの多重経路信号成分の拡散符号オフセットが、時間遅延がなされるブランチの多重経路信号成分の拡散符号オフセットに重ならないように決定しなければならず、このような時間遅延値は、多重経路時間遅延プロファイル（multipath delay profile）に基づいて設定される。例えば、多重経路時間遅延が著しい都心環境での無線通信において、有用な多重経路信号成分は最悪の場合２５μｓまで時間遅延されて受信されるので、このような場合には、２５μｓ程度の時間遅延Ｄを２個のブランチのうちのいずれか一方に割り当てればよい。
【００２７】
つまり、１.２２８８ＭＨｚの拡散符号オフセットを使用する場合には、３０.７２チップ（＝２５μｓ×１.２２８８ＭＨｚ）の時間遅延Ｄがなされれば、時間遅延がなされないブランチで受信される有用な多重経路信号成分の拡散符号オフセットが、時間遅延がなされるブランチで受信される有用な多重経路信号成分の拡散符号オフセットに重なる場合がなくなる。
【００２８】
時間遅延がなされないブランチ１１０ａ、１２０ａ、１３０ａ、１４０ａ、１５０ａ、及び１６０ａで受信された信号、及び時間遅延がなされるブランチ１１０ｂ、１２０ｂ、１３０ｂ、１４０ｂ、１５０ｂ、及び１６０ｂで受信された信号は、合算部によって夫々合算されてＲＦ処理部３１０、３２０、３３０、３４０、３５０、及び３６０に入力される。ＲＦ処理部３１０、３２０、３３０、３４０、３５０、及び３６０は、これらの信号を中間周波数帯域信号に変換してＩＦ処理部４１０、４２０、４３０、４４０、４５０、及び４６０に伝達する。ＩＦ処理部４１０、４２０、４３０、４４０、４５０、及び４６０は、中間周波数帯域信号を基底帯域信号に変換してモデム処理部５００に伝達する。
【００２９】
モデム処理部５００に入力される信号は、拡散符号オフセットが区別される信号が合算された信号であるので、これら信号は異なるアンテナ及びＲＦ／ＩＦ処理経路を介してモデム処理部５００に入力された信号と同一の方法で処理することができる。より詳細に説明すれば、モデム処理部５００の夫々の受信端子に入力される信号は、時間遅延されなかった信号及び時間遅延された信号が合算され、拡散符号オフセットが区別されて生成された信号であるので、モデム処理部５００の探索器（searcher）は、これらの信号を同一アンテナの多様な多重経路信号成分と見なして、各信号成分を分離する。そして、モデム処理部５００は、有用な多重経路信号成分をフィンガーに割当て、当該多重経路信号成分の位相を検出して補正した後で、フィンガーに割当てられた信号成分に対して最大比合成を行う。その結果、位相が異なる信号は同一な位相を有するように補正された後で最大比合成がなされるので、ダイバシティ効果を得ることができる。
【００３０】
本発明の第１の実施の形態においては、１セクタ当り空間的に分離された２セットのＸ字型偏波アンテナを使用し、このＸ字型偏波アンテナは２個のブランチを有するので、セクタ当り４個のブランチで信号を受信することができる。この場合、各アンテナにおいて、２個のブランチで受信される信号のうちのいずれか１方に時間遅延を行った後で２個の信号を合算してモデム処理部に伝達するので、モデム処理部は、セクタ別に２個の受信（Ｒｘ）端子のみを有すればよい。つまり、１個のブランチを有する垂直アンテナをセクタ別に２個ずつ有する従来の基地局で使用されるモデム処理部もセクタ別に受信（Ｒｘ）端子を２個ずつ有するので、従来のモデム処理部をそのまま本発明に適用することができる。
【００３１】
上述のように、本発明の第１の実施の形態によれば、ＲＦ処理部及びＩＦ処理部がセクタ別に２個ずつ使用されるので、従来の基地局に比べてハードウェア構成が複雑にならず、Ｘ字型偏波アンテナが２セット使用されるので、ダイバシティブランチの個数が４個に増加して、ダイバシティによって基地局の性能の改善を実現することができる。しかし、第１の実施の形態のように、モデム処理部に入力される前に信号を時間遅延して合算すると 、多重経路遅延特性によって人為的に時間遅延がなされないアンテナを介して受信される多重経路信号成分のうちの一部の微弱な成分（人為的になされる時間遅延よりさらに時間遅延されて受信される多重経路信号成分）と、人為的に時間遅延された多重経路信号成分のうちの主要な成分との間の信号重畳により性能がいくらか低下することがあるが、このような性能低下は、各セクタ別にＸ字型偏波アンテナ２セットを使用することにより得られるダイバシティ効果に比べて相対的に無視できる程度である。
【００３２】
このような一部性能低下までをも避けるためには、モデム処理部まで独立した経路で処理されるのが好ましいが、このようにすれば、ＲＦ処理部又はＩＦ処理部の増加によりハードウェアの構成が複雑になり好ましくない。従って、本発明の第１の実施の形態によれば、基地局は、その複雑度を大きく増加させずに、且つＸ字型偏波アンテナ２セットを使用するので、ダイバシティ効果を有する基地局を実現することができる。
【００３３】
以下、本発明の他の実施の形態について、図３及び図４を参照して説明する。
【００３４】
図３及び図４は、本発明の第２及び第３の実施の形態に係る基地局の構造を示す図面である。
【００３５】
図３に示すように、本発明の第２の実施の形態に係る基地局は、ＲＦ処理部の個数及び遅延素子がＲＦ処理部とＩＦ処理部との間に位置するという点を除けば、上述の第１の実施の形態と同一である。
【００３６】
より詳細に説明すれば、アンテナ１１０〜１６０夫々のブランチ１１０ａ、１１０ｂ、１２０ａ、１２０ｂ、…、１６０ａ、１６０ｂで受信された信号は、夫々、ＲＦ処理部３１１、３１２、３２１、３２２、…、３６１、３６２に伝達されて中間周波数帯域信号に変換される。ＲＦ処理部３１２、３２２、…、３６２を通過した信号は、遅延素子２１０、２２０、…、２６０によって時間遅延されて、ＲＦ処理部３１１、３２１、…、３６１を通過した信号と合算部によって合算される。これらの合算された信号は、ＩＦ処理部４１０、４２０、…、〜４６０によって基底帯域信号に変換された後でモデム処理部５００に伝達される。
【００３７】
このように、本発明の第２の実施の形態によれば、信号がＲＦ処理部を通過した後で合算されるので、ＲＦ処理部の個数が上述の第１の実施の形態に比べて２倍に増加するという短所がある。
【００３８】
以下に、ＩＦ処理部を通過した後で信号を合算する第３の実施の形態について、図４を参照して説明する。
【００３９】
図４に示すように、本発明の第３の実施の形態に係る基地局は、ＲＦ処理部及びＩＦ処理部の個数及び遅延素子がＩＦ処理部とモデム処理部との間に位置するという点を除けば、上述の第１の実施の形態と同一である。
【００４０】
より詳細に説明すれば、アンテナ１１０〜１６０夫々のブランチ１１０ａ、１１０ｂ、１２０ａ、１２０ｂ、…、１６０ａ、１６０ｂで受信された信号は、夫々、ＲＦ処理部３１１、３１２、３２１、３２２、…、３６１、３６２及びＩＦ処理部４１１、４１２、４２１、４２２、…、４６１、４６２に伝達されて基底帯域信号に変換される。ＩＦ処理部４１２、４２２、…、４６２を通過した信号は、遅延素子２１０、２２０、…、２６０によって時間遅延されて、ＲＦ処理部４１１、４２１、…、４６１を通過した信号と合算部によって合算された後でモデム処理部５００に伝達される。
【００４１】
このように、本発明の第３の実施の形態によれば、信号がＩＦ処理部を通過した後で合算されるので、ＲＦ及びＩＦ処理部の個数が上述の第１の実施の形態に比べて２倍に増加するという短所がある。
【００４２】
本発明の第１乃至第３の実施の形態においては、夫々、遅延素子をアンテナとＲＦ処理部との間、ＲＦ処理部とＩＦ処理部との間、及びＩＦ処理部とモデム処理部との間に位置させて信号を時間遅延させて合算している。しかしながら、本発明はこれに限定されず、２個のブランチを有するアンテナにおける１個のブランチで受信される信号を時間遅延させ、もう一個のブランチで受信される時間遅延されない信号と合算して、モデム処理部に伝達する方式を全て含む。
【００４３】
本発明によれば、オフセットが区別されるように時間遅延させた信号と、時間遅延されなかった信号を合算し、この合算された信号をモデム処理部で分離するので、基地局のモデム処理部を変更せずに、セクタ別に４個のブランチ処理を必要とするＸ字型偏波アンテナ２セットを利用したダイバシティ基地局を実現させることができる。つまり、基地局のハードウェア構造の変更が最小限にされるので、ハードウェアが簡単になる。
【００４４】
本発明は、上述のように、目下最も実用的であると共に最も好ましいと考えることができる実施の形態に関して説明したが、本発明は上述の実施の形態に限定されるものではなく、むしろ、本願発明は、添付の特許請求の範囲に記載された発明の精神及び範囲の中に含まれる種々の変更及び等価な配置を含むものである。
【図面の簡単な説明】
【００４５】
【図１】本発明の第１の実施の実施の形態に係る基地局の構造を示す図面である。
【図２】本発明の第１の実施の形態において時間遅延による拡散符号オフセットの差を示す図面である。
【図３】本発明の第２の実施の形態に係る基地局の構造を示す図面である。
【図４】本発明の第３の実施の実施の形態に係る基地局の構造を示す図面である。
【図５】従来の基地局の構造を示す図面である。
【図６】従来のＸ字型偏波アンテナを使用する基地局の構造を示す図面である。
【符号の説明】
【００４６】
１１，１２，１３，１４，１５，１６  垂直アンテナ
２０，５０，５００  モデム処理部
４１，４２，４３，４４，４５，４６，１１０，１２０，１３０，１４０，１５０，１６０  Ｘ字型偏波アンテナ
４１ａ，４１ｂ，４２ａ，４２ｂ，４３ａ，４３ｂ，４４ａ，４４ｂ，４５ａ，４５ｂ，４６ａ，４６ｂ，１１０ａ，１１０ｂ，１２０ａ，１２０ｂ，１３０ａ，１３０ｂ，１４０ａ，１４０ｂ，１５０ａ，１５０ｂ，１６０ａ，１６０ｂ  ブランチ
２１０，２２０，２３０，２４０，２５０，２６０  遅延素子
３１０，３１１，３１２，３２０，３２１，３２２，３３０，３３１，３３２，３４０，３４１，３４２，３５０，３５１，３５２，３６０，３６１，３６２  ＲＦ処理部
４１０，４１１，４１２，４２０，４２１，４２２，４３０，４３１，４３２，４４０，４４１，４４２，４５０，４５１，４５２，４６０，４６１，４６２  ＩＦ処理部
【図１】
2005526427.tif 000003
【図２】
2005526427.tif 000004
【図３】
2005526427.tif 000005
【図４】
2005526427.tif 000006
【図５】
2005526427.tif 000007
【図６】
2005526427.tif 000008
【国際調査報告】
2005526427.tif 000009